(57)【要約】【課題】不達宛先に対する再送指示を容易に行うことができるファクシミリ同報装置およびネットワークファクシミリ装置を提供することを目的としている。【解決手段】ユーザは、テンキーを操作するという簡単な操作で同報通信の再送動作を同報装置へ指示することができるので、非常に便利であるという効果を得る。【選択図】　　　　図５
2004088356.tif 000002
【特許請求の範囲】
【請求項１】
公衆網に接続する通信手段を複数備え、上記複数の通信手段を用いて、蓄積した画情報を複数の宛先へ一斉同報する機能を備えたファクシミリ同報装置において、
ネットワークへ接続し、電子メールを用いて画情報をやりとりするネットワークファクシミリ通信機能を備え、
上記ネットワークファクシミリ通信機能により、電子メールを用いて画情報を受信し、その電子メールの配信宛先に複数のファクシミリ装置が指定されている場合、上記受信した画情報を当該配信宛先へ同報通信するとともに、全ての配信宛先に対する通信動作が正常終了しなかった場合には、上記受信した画情報を保持し、再送要求に備えることを特徴とするファクシミリ同報装置。
【請求項２】
前記電子メールを受信したとき、その配信結果をあらわす結果レポートを作成し、その結果レポートの内容を、上記電子メールの送信元へ、結果レポート電子メールとして送信することを特徴とする請求項１記載のファクシミリ同報装置。
【請求項３】
前記結果レポート電子メールには、再送要求指示の際に指定すべき参照情報の表示を含むことを特徴とする請求項２記載のファクシミリ同報装置。
【請求項４】
電子メール受信時、再送要求指示の参照情報が通知された場合には、当該参照情報に対応した結果レポートの内容に基づき、再送動作を行うことを特徴とする請求項３記載のファクシミリ同報装置。
【請求項５】
ネットワークへ接続し、電子メールを用いて画情報をやりとりするネットワークファクシミリ通信機能を備えたネットワークファクシミリ装置において、
ＯＣＲ機能を備え、
再送指示が指定されると、セットされた原稿画像を読み取り、上記ＯＣＲ機能により、再送要求指示の参照情報を認識し、あらかじめ設定されているファクシミリ同報装置に対して、再送要求指示の参照情報を通知するようにしたことを特徴とするネットワークファクシミリ装置。
【発明の詳細な説明】
【０００１】
【発明の属する技術分野】
本発明は、公衆網に接続する通信手段を複数備え、上記複数の通信手段を用いて、蓄積した画情報を複数の宛先へ一斉同報する機能を備えたファクシミリ同報装置、および、当該ファクシミリ同報装置に再送要求指示を指令する機能を備えたネットワークファクシミリ装置に関する。
【０００２】
【従来の技術】
従来より、公衆網に接続する通信手段を複数備え、上記複数の通信手段を用いて、蓄積した画情報を複数の宛先へ一斉同報する機能を備えたファクシミリ同報装置が実用されている。
【０００３】
また、近年、インターネット等のネットワークに接続され、電子メールを用いて画情報通信を行う機能を備えたネットワークファクシミリ装置が実用され、このネットワークファクシミリ装置を利用したファクシミリ通信システムも実用されている。また、このようなネットワークファクシミリ装置において、電子メールを用いて画情報を通信するための電子メール通信機能に関する技術勧告は、ＩＴＵ−Ｔ勧告Ｔ．３７が適用される。
【０００４】
そして、上述したファクシミリ同報装置にネットワーク通信機能を備えて、他のネットワークファクシミリ装置から、当該ファクシミリ同報装置に対して、電子メールを用いて、同報通信を依頼することができるようにしたファクシミリ同報システム（ファクシミリ同報装置）も提案されている。
【０００５】
【発明が解決しようとする課題】
ところで、上述したファクシミリ同報装置では、不達宛先に対する再送指示を行う際に問題がある。例えば、コンピュータシステムにおける電子メールシステムと同じ方法を、再送指示の手段として適用しようとすると、電子メールのヘッダのいずれかのフィールドに当該指示の情報をセットする必要があり、ファクシミリ同報装置に対して再送指示を出すネットワークファクシミリ装置では、そのような自由なフォーマットの情報を自動的に作成することが困難であり、そのまま適用することができない。
【０００６】
本発明は、かかる実情に鑑みてなされたものであり、不達宛先に対する再送指示を容易に行うことができるファクシミリ同報装置およびネットワークファクシミリ装置を提供することを目的としている。
【０００７】
【課題を解決するための手段】
本発明は、公衆網に接続する通信手段を複数備え、上記複数の通信手段を用いて、蓄積した画情報を複数の宛先へ一斉同報する機能を備えたファクシミリ同報装置において、ネットワークへ接続し、電子メールを用いて画情報をやりとりするネットワークファクシミリ通信機能を備え、上記ネットワークファクシミリ通信機能により、電子メールを用いて画情報を受信し、その電子メールの配信宛先に複数のファクシミリ装置が指定されている場合、上記受信した画情報を当該配信宛先へ同報通信するとともに、全ての配信宛先に対する通信動作が正常終了しなかった場合には、上記受信した画情報を保持し、再送要求に備えるようにしたものである。
【０００８】
また、前記電子メールを受信したとき、その配信結果をあらわす結果レポートを作成し、その結果レポートの内容を、上記電子メールの送信元へ、結果レポート電子メールとして送信するようにしたものである。
【０００９】
また、前記結果レポート電子メールには、再送要求指示の際に指定すべき参照情報の表示を含む。また、電子メール受信時、再送要求指示の参照情報が通知された場合には、当該参照情報に対応した結果レポートの内容に基づき、再送動作を行うようにしたものである。
【００１０】
また、ネットワークへ接続し、電子メールを用いて画情報をやりとりするネットワークファクシミリ通信機能を備えたネットワークファクシミリ装置において、ＯＣＲ機能を備え、再送指示が指定されると、セットされた原稿画像を読み取り、上記ＯＣＲ機能により、再送要求指示の参照情報を認識し、あらかじめ設定されているファクシミリ同報装置に対して、再送要求指示の参照情報を通知するようにしたものである。
【００１１】
【発明の実施の形態】
以下、添付図面を参照しながら、本発明の実施の形態を詳細に説明する。
【００１２】
図１は、本発明の一実施例にかかるファクシミリ同報システムの一例を示している。
【００１３】
同図において、このファクシミリ同報システムは、アナログ公衆回線網ＰＳＴＮの回線をｍ本引き込み、ｍ個のグループ３ファクシミリ装置ＧＸ１，ＧＸ２，…，ＧＸｍに対して一斉同報通信が可能であるとともに、インターネットＩＮＥＴに接続し、インターネットＩＮＥＴを介し、ネットワークファクシミリ装置ＦＸとの間で電子メールを用いて画情報をやりとりする機能を備えたファクシミリ同報装置ＤＸを備えている。
【００１４】
また、ネットワークファクシミリ装置ＦＸは、電子メールを配信するためのＳＭＴＰ（Ｓｉｍｐｌｅ　Ｍａｉｌ　Ｔｒａｎｓｆｅｒ　Ｐｒｏｔｏｃｏｌ）サーバ機能を備えており、ネットワークファクシミリ装置ＦＸは、電子メールのやりとりの際、直接、ファクシミリ同報装置ＤＸとの間で行われる（後述）。
【００１５】
図２は、ネットワークファクシミリ装置ＦＸの構成の一例を示している。
【００１６】
同図において、システム制御部１は、このネットワークファクシミリ装置ＦＸの各部の制御処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００１７】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００１８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１９】
磁気ディスク装置１０は、このネットワークファクシミリ装置ＦＸが実行する種々のアプリケーションプログラムや、任意の種々のデータを記憶するためのものである。
【００２０】
インターネットインターフェース回路１１は、このネットワークファクシミリ装置ＦＸをインターネットＩＮＥＴに接続するためのものであり、インターネット伝送制御部１２は、インターネットＩＮＥＴを介して、他のデータ端末装置との間で種々のデータをやりとりするための各種所定のプロトコルスイート（ＳＭＴＰを含む）の通信制御処理を実行するためのものである。
【００２１】
これらの、システム制御部１、システムメモリ２、パラメータメモリ３、時計回路４、スキャナ５、プロッタ６、操作表示部７、符号化復号化部８、画像蓄積装置９、磁気ディスク装置１０、および、インターネット伝送制御部１２は、内部バス１４に接続されており、これらの各要素間でのデータのやりとりは、主としてこの内部バス１４を介して行われている。
【００２２】
図３（ａ）は、ファクシミリ同報装置ＤＸの構成の一例を示している。
【００２３】
同図において、システム制御部２１は、このファクシミリ同報装置ＤＸの各部の制御処理、および、ファクシミリ伝送制御手順処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このファクシミリ同報装置ＤＸに固有な各種の情報を記憶するためのものであり、時計回路２４は、現在時刻情報を出力するものである。
【００２４】
操作表示部２５は、このファクシミリ同報装置ＤＸを操作するためのもので、各種の操作キー、および、各種の表示器からなる。
【００２５】
画像蓄積装置２６は、符号化圧縮された状態の画情報を多数記憶するためのものであり、符号化復号化部２７は、画信号を符号化圧縮するとともに、符号化圧縮されている画情報を元の画信号に復号化するためのものであり、磁気ディスク装置２８は、このファクシミリ同報装置ＤＸが実行する種々のアプリケーションプログラムや、任意の種々のデータを記憶するためのものである。。
【００２６】
インターネットインターフェース回路２９は、このファクシミリ同報装置ＤＸをインターネットＩＮＥＴに接続するためのものであり、インターネット伝送制御部３０は、インターネットＩＮＥＴを介して、他のデータ端末装置との間で種々のデータをやりとりするための各種所定のプロトコルスイート（ＳＭＴＰを含む）の通信制御処理を実行するためのものである。
【００２７】
また、通信制御部ＣＵ１〜ＣＵｍは、それぞれアナログ公衆回線網ＰＳＴＮへ接続し、アナログ公衆回線網ＰＳＴＮを介してグループ３ファクシミリ装置との間でファクシミリ通信を行うためのものである。また、この通信制御部ＣＵ１〜ＣＵｍにより、ｍチャネルまでの一斉同報通信が行われる。
【００２８】
これらの、システム制御部２１、システムメモリ２２、パラメータメモリ２３、時計回路２４、操作表示部２５、画像蓄積装置２６、符号化復号化部２７、グ磁気ディスク装置２８、および、インターネット伝送制御部３０は、内部バス３１に接続されており、これらの各要素間でのデータのやりとりは、主としてこの内部バス３１を介して行われている。
【００２９】
図３（ｂ）は、通信制御部ＣＵ（ＣＵ１〜ＣＵｍ）の一例を示している。
【００３０】
通信制御部ＣＵは、グループ３ファクシミリのモデム機能を実現するためのグループ３ファクシミリモデム３５、および、アナログ公衆回線網ＰＳＴＮに接続するとともに自動発着信機能を備えた網制御装置３６からなる。
【００３１】
また、グループ３ファクシミリモデム３５は、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３２】
図４は、ネットワークファクシミリ装置ＦＸが、ファクシミリ同報装置ＤＸを用いて、複数のグループ３ファクシミリ装置ＧＸへ画情報を送信するときの動作の一例を示している。
【００３３】
まず、ネットワークファクシミリ装置ＦＸは、ファクシミリ同報装置ＤＸを指定してコネクションの確立を要求する。これに対し、ファクシミリ同報装置ＤＸは、信号「２２０　ｄｏｕｈｏ．ａｂｃ．ｃｏ．ｊｐ　Ｓｅｒｖｉｃｅ　Ｒｅａｄｙ」をネットワークファクシミリ装置ＦＸへ応答する。
【００３４】
次に、ネットワークファクシミリ装置ＦＸは、ＳＭＴＰ（ＲＦＣ２８２１等参照）の開始コマンドであるコマンドＨＥＬＯをファクシミリ同報装置ＤＸへ送信する。
【００３５】
コマンドＨＥＬＯを受信したファクシミリ同報装置ＤＸは、信号「２５０（＝肯定応答）ｄｏｕｈｏ．ａｂｃ．ｃｏ．ｊｐ」をネットワークファクシミリ装置ＦＸへ順次応答する。
【００３６】
これにより、ネットワークファクシミリ装置ＦＸは、コマンド「ＭＡＩＬ　ＦＲＯＭ：＜ｃｌｉｅｎｔ１＠ａｂｃ．ｃｏ．ｊｐ＞」をファクシミリ同報装置ＤＸへ送信し、送信元のメールアドレスを通知する。
【００３７】
ファクシミリ同報装置ＤＸは、そのときの電子メールの受付を許可できる場合には、信号「２５０」をネットワークファクシミリ装置ＦＸへ応答する。
【００３８】
次に、ネットワークファクシミリ装置ＦＸは、おのおのの同報宛先を通知するコマンド「ＲＣＰＴ　ＴＯ：＜（宛先情報）＞」を、それぞれの同報宛先の分だけファクシミリ同報装置ＤＸへ繰り返し送信する。ファクシミリ同報装置ＤＸは、コマンド「ＲＣＰＴ　ＴＯ：＜（宛先情報）＞」を受信すると、その「＜（宛先情報）＞」をそれぞれ同報宛先として保存するとともに、信号「２５０　ＯＫ」を応答する。
【００３９】
ここで、本実施例では、ネットワークファクシミリ装置ＦＸは、ネームサーバやＳＭＴＰサーバを介さずに、直接ファクシミリ同報装置ＤＸへ接続するので、コマンド「ＲＣＰＴ」を使って通知する「＜（宛先情報）＞」の値としては、宛先のグループ３ファクシミリ装置のファクシミリ番号（電話番号）の値を直接使用する。
【００４０】
このようにして、同報宛先の通知を終了すると、ネットワークファクシミリ装置ＦＸは、送信画情報をＭＩＭＥ変換して形成した本文情報（メールデータ）をファクシミリ同報装置ＤＸへ送信し、その本文情報の送信を終了すると、所定の終了コマンドを送信する。
【００４１】
ファクシミリ同報装置ＤＸは、受信した本文情報を保存し、終了コマンドを受信して本文情報の受信終了を確認すると、信号「２５０　ＯＫ」をネットワークファクシミリ装置ＦＸへ応答する。
【００４２】
ネットワークファクシミリ装置ＦＸは、続いて、コマンド「ＱＵＩＴ」をファクシミリ同報装置ＤＸへ送信し、それにより、ファクシミリ同報装置ＤＸは、信号「２２１　ｄｏｕｈｏ．ａｂｃ．ｃｏ．ｊｐ」を応答する。
【００４３】
このようにして、ネットワークファクシミリ装置ＦＸは、電子メールを用いて、同報宛先の通知と、画情報の送信を終了すると、ファクシミリ同報装置ＤＸとのコネクションを切断して、一連の同報通信の画情報の送信を終了する。
【００４４】
次に、ファクシミリ同報装置ＤＸは、受信している同報宛先をそれぞれ通信制御部ＣＵ１〜ＣＵｍに設定し、通信制御部ＣＵ１〜ＣＵｍの送信動作を開始させる。
【００４５】
それにより、おのおのの通信制御部ＣＵ１〜ＣＵｍは、設定された同報宛先へ発呼し、同報宛先のグループ３ファクシミリ装置と接続すると、指定された画情報の送信動作を行う。
【００４６】
また、通信制御部ＣＵ１〜ＣＵｍは、１回の送信動作で同報宛先への画情報送信が完了しなかった場合には、送信できなかったページについての送信動作を行う。また、この再送動作は、あらかじめ設定されている再送回数まで繰り返される。そして、その送信動作を終了すると、そのときの送信結果をシステム制御部２１へ通知する。
【００４７】
システム制御部２１は、１つの同報通信について、同報宛先を設定した全ての通信制御部ＣＵ１〜ＣＵｍより送信結果の通知を受けると、例えば、図５に示したような同報結果レポートを作成し、同報通信の要求元のネットワークファクシミリ装置ＦＸへ、電子メールを用いて送信する。
【００４８】
それとともに、全ての同報宛先への画情報送信が正常に行われたかどうかを調べ、画情報送信が正常に行われなかった不達宛先が１つ以上あった場合には、そのときの同報通信にかかる画情報を保存し、再送動作に備える。
【００４９】
ここで、図５に示した同報結果レポートは、再送要求のための情報を含むものであり、表題、「ホスト名」の表示、同報通信の「受付日時」の表示、「文書番号」の表示、「不達件数」の表示、「再送指示のガイダンスメッセージ（再送指示の場合は、アドレス＊０００３２５を入力して下さい。）」の表示、および、送信結果一覧表示からなる。
【００５０】
また、全ての宛先への送信が正常終了している場合には、「再送指示のガイダンスメッセージ」の表示は含まれない。
【００５１】
ここで、本実施例では、文書番号の先頭に記号「＊」が付加されている宛先情報を受信すると、ファクシミリ同報装置ＤＸは、再送指示を受信したと認識する。
【００５２】
一方、この同報結果レポートを受信したネットワークファクシミリ装置ＦＸでは、その同報結果レポートの受信画像がプロッタ６より記録出力される。そして、この同報結果レポートの内容を確認したユーザは、再送動作を希望する場合には、同報結果レポートの指示通りの再送操作を行う。
【００５３】
すなわち、まず、ダミーの原稿をスキャナ５にセットし、操作表示部７のテンキー（図示略）を操作して、宛先として「＊０００３２５」を入力し、同報通信開始を指令する。
【００５４】
これにより、ネットワークファクシミリ装置ＦＸは、図６に示すような再送指示の動作を行う。
【００５５】
すなわち、まず、ネットワークファクシミリ装置ＦＸは、ファクシミリ同報装置ＤＸを指定してコネクションの確立を要求する。これに対し、ファクシミリ同報装置ＤＸは、信号「２２０　ｄｏｕｈｏ．ａｂｃ．ｃｏ．ｊｐ　Ｓｅｒｖｉｃｅ　Ｒｅａｄｙ」をネットワークファクシミリ装置ＦＸへ応答する。
【００５６】
次に、ネットワークファクシミリ装置ＦＸは、コマンドＨＥＬＯをファクシミリ同報装置ＤＸへ送信する。
【００５７】
コマンドＨＥＬＯを受信したファクシミリ同報装置ＤＸは、信号「２５０　ｄｏｕｈｏ．ａｂｃ．ｃｏ．ｊｐ」をネットワークファクシミリ装置ＦＸへ順次応答する。
【００５８】
これにより、ネットワークファクシミリ装置ＦＸは、コマンド「ＭＡＩＬ　ＦＲＯＭ：＜ｃｌｉｅｎｔ１＠ａｂｃ．ｃｏ．ｊｐ＞」をファクシミリ同報装置ＤＸへ送信し、送信元のメールアドレスを通知する。
【００５９】
ファクシミリ同報装置ＤＸは、そのときの電子メールの受付を許可できる場合には、信号「２５０」をネットワークファクシミリ装置ＦＸへ応答する。
【００６０】
次に、ネットワークファクシミリ装置ＦＸは、再送指示のためにコマンド「ＲＣＰＴ　ＴＯ：＜＊０００３２５＞」をファクシミリ同報装置ＤＸへ送信する。ファクシミリ同報装置ＤＸは、コマンド「ＲＣＰＴ　ＴＯ：＜＊０００３２５＞」を受信すると、この場合には、「＜（宛先情報）＞」の先頭に記号「＊」が配置されているので、再送要求であると認識する。そして、信号「２５０　ＯＫ」を応答する。
【００６１】
このようにして、再送指示の通知を終了すると、ネットワークファクシミリ装置ＦＸは、ダミーデータをファクシミリ同報装置ＤＸへ送信し、その本文情報の送信を終了すると、所定の終了コマンドを送信する。
【００６２】
ファクシミリ同報装置ＤＸは、この場合はダミーデータを受信するので、受信した本文情報を破棄し、終了コマンドを受信すると、信号「２５０　ＯＫ」をネットワークファクシミリ装置ＦＸへ応答する。
【００６３】
ネットワークファクシミリ装置ＦＸは、続いて、コマンド「ＱＵＩＴ」をファクシミリ同報装置ＤＸへ送信し、それにより、ファクシミリ同報装置ＤＸは、信号「２２１　ｄｏｕｈｏ．ａｂｃ．ｃｏ．ｊｐ」を応答する。
【００６４】
このようにして、ネットワークファクシミリ装置ＦＸは、再送指示を終了すると、ファクシミリ同報装置ＤＸとのコネクションを切断して、一連の同報通信の画情報の送信を終了する。
【００６５】
次に、ファクシミリ同報装置ＤＸは、そのときに受信した「宛先情報」の値を取り出して、対応する文書を判別し、不達宛先について、画情報の送信動作を行う。このとき、不達宛先が複数ある場合には、それぞれ不達宛先を通信制御部ＣＵ１〜ＣＵｍに設定し、通信制御部ＣＵ１〜ＣＵｍの送信動作を開始させる。
【００６６】
このようにして、本実施例では、ネットワークファクシミリ装置ＦＸは、テンキーを操作するという簡単な操作で同報通信の再送動作をファクシミリ同報装置ＤＸへ指示することができるので、非常に便利である。
【００６７】
図７は、ネットワークファクシミリ装置ＦＸがファクシミリ同報装置ＤＸに対して、同報通信を要求する場合の処理の一例を示している。なお、この処理は、通常の同報通信要求時と、再送要求時の双方に適用される。
【００６８】
まず、ユーザは、送信原稿をスキャナ５にセットし（処理１０１）、操作表示部７を適宜に操作して、複数の電子メールアドレスを入力する（処理１０２）。また、ユーザは、電子メールアドレスの入力を終了すると、スタートキー（図示略）を押して送信開始を指示するので、スタートキーが押されるのを待つ（判断１０３のＮＯループ）。
【００６９】
判断１０３の結果がＹＥＳになると、ネットワークファクシミリ装置ＦＸは、スキャナ５にセットされた送信原稿の画像を読み取り、その結果得た画像データを符号化複号化部８で符号化圧縮し、それによって得た画情報を画像蓄積装置９に蓄積する（処理１０４）。
【００７０】
次いで、電子メールのヘッダ情報を作成するとともに、本文情報を作成する（処理１０５）。ここで、ヘッダ情報のうち、「Ｔｏ：」フィールドの値には、処理１０２で入力された複数の同報宛先が列挙配置され、「Ｆｒｏｍ：」フィールドの値には、自端末のメールアドレスが配置される。また、本文情報は、通常、マルチパートＭＩＭＥ（Ｍｕｌｔｉ　Ｐｕｒｐｏｓｅ　Ｍａｉｌ　Ｅｘｔｅｎｓｉｏｎ）形式で作成され、その１つのＭＩＭＥパートとして、処理１０４で画像蓄積装置９に蓄積された画情報が配置される。また、その際、画情報は、所定の変換方法（例えば、Ｂａｓｅ６４符号化方法）を適用して可読情報（７ビットのキャラクタコード）に変換される。
【００７１】
次いで、ネットワークファクシミリ装置ＦＸは、ファクシミリ同報装置ＤＸへコネクション接続を要求し（処理１０６）、ＳＭＴＰポートについて、ＴＣＰコネクションが確立すると（処理１０７）、ファクシミリ同報装置ＤＸへ電子メールを送信し（処理１０８）、電子メールの送信が終了すると、ファクシミリ同報装置ＤＸとの間のＴＣＰコネクションを切断する（処理１０９）。
【００７２】
図８および図９は、ファクシミリ同報装置ＤＸの処理の一例を示している。
【００７３】
ファクシミリ同報装置ＤＸは、いずれかのネットワークファクシミリ装置ＦＸからのコネクション要求を監視しており（判断２０１）、判断２０１の結果がＹＥＳになると、相手との間にＴＣＰコネクションを確立し（処理２０２）、所定のＳＭＴＰを適用して、電子メールを受信して蓄積する（処理２０２）。
【００７４】
ここで、そのときに複数のコマンド「ＲＣＰＴ」を受信しており、同報通信の要求であったかどうかを調べる（判断２０４）。１つのコマンド「ＲＣＰＴ」を受信した場合で、判断２０４の結果がＮＯになるときには、通知された宛先情報が、再送要求の記号「＊」を含んだものであるかどうかを調べる（判断２０５）。判断２０５の結果がＮＯになるときには、同報要求でもなく再送要求でもないので、そのときに蓄積した電子メールの情報を削除して（処理２０６）、このときの処理を終了する。
【００７５】
また、判断２０４のい結果がＹＥＳになるときには、蓄積したＭＩＭＥ情報をデコードして元の送信画情報を作成し（処理２０７）、受信している同報宛先をそれぞれ通信制御部ＣＵ１〜ＣＵｍに設定し、通信制御部ＣＵ１〜ＣＵｍの送信動作を開始させる（処理２０８；一斉同報処理）。
【００７６】
同報動作を終了すると、それぞれの通信制御部ＣＵ１〜ＣＵｍから送信結果を受信して保存し（処理２０９）、それらの送信結果に基づいて、上述した同報結果レポートを作成する（処理２１０）。そして、その作成した同報結果レポートを、同報通信の要求元に対し、電子メールを用いて送信する（処理２１１）。
【００７７】
ここで、１つ以上の不達宛先があったかどうかを調べ（判断２１２）、判断２１２の結果がＹＥＳになるときには、蓄積した電子メールの情報を保持して再送要求に備え（処理２１３）、このときの処理を終了する。
【００７８】
また、判断２１２の結果がＮＯになるときには、処理２０６へ移行し、そのときに蓄積した電子メールの情報を削除して、このときの処理を終了する。
【００７９】
一方、再送指示の情報を受信した場合で、判断２０５の結果がＹＥＳになるときには、そのときに受信した「宛先情報」の値を取り出して、対応する文書を判別し、不達宛先について、画情報の送信動作を行う（処理２１５；再送処理）。このとき、不達宛先が複数ある場合には、それぞれ不達宛先を通信制御部ＣＵ１〜ＣＵｍに設定し、通信制御部ＣＵ１〜ＣＵｍの送信動作を開始させる。
【００８０】
再送動作を終了すると、それぞれの通信制御部ＣＵ１〜ＣＵｍから送信結果を受信して保存し（処理２１６）、それらの送信結果に基づいて、上述したと同様の同報結果レポート（再送）を作成する（処理２１７）。そして、その作成した同報結果レポート（再送）を、再送要求元に対し、電子メールを用いて送信する（処理２１８）。なお、「同報結果レポート（再送）」とは、「再送」についての同報結果レポートである旨を表示した内容のものである。
【００８１】
ここで、１つ以上の不達宛先があったかどうかを調べ（判断２１９）、判断２１９の結果がＹＥＳになるときには、蓄積した電子メールの情報を保持して再送要求に備え（処理２２０）、このときの処理を終了する。
【００８２】
また、判断２１９の結果がＮＯになるときには、蓄積している電子メールの情報を削除して（処理２２１）、このときの処理を終了する。
【００８３】
図１０は、本発明の他の実施例にかかる同報結果レポートを示している。
【００８４】
この同報結果レポートは、不達宛先が１つ以上ある場合のものであり、再送要求の際のガイダンスメッセージの表示が含まれる。また、それとともに、ＯＣＲ機能で文書番号を読み取る場合のガイドとなるマークＭＫが、「文書番号」の表示欄の一番左側に記録されている。
【００８５】
そして、この同報結果レポートを用いて、ネットワークファクシミリ装置ＦＸのユーザが再送指示する場合、ユーザは、表示されているガイダンスメッセージに従った操作を行えばよい。
【００８６】
すなわち、この場合、ユーザは、まず、同報結果レポートをスキャナ５にセットし、適宜なメールアドレスを入力し、操作表示部７の再送指示キー（図示略）を操作する。
【００８７】
なお、再送指示キーは、例えば、ファンクションキーと任意のキーの組み合わせや、再送指示画面に表示される再送指示ボタンなどから構成することができる。
【００８８】
これにより、ネットワークファクシミリ装置ＦＸは、スキャナ５により原稿画像を読み取って画像データを作成し、その画像データについて、マークＭＫが記録されている部分の画像データを抽出し、その抽出した画像データについて所定のＯＣＲ処理を実行して、文書番号の内容を取得する。
【００８９】
このようにして、ファクシミリ同報装置ＤＸに再送要求する文書番号の値を取得すると、ネットワークファクシミリ装置ＦＸは、上述と同様にして、ファクシミリ同報装置ＤＸに対して、再送要求を行う。
【００９０】
図１１は、再送要求時のネットワークファクシミリ装置ＦＸの処理の一例を示している。
【００９１】
ユーザは、まず、同報結果レポートをスキャナ５にセットし（処理３０１）、適宜なメールアドレスを入力し（処理３０２）、操作表示部７の再送指示キーを操作する（判断３０３ＮＯループ）。
【００９２】
これにより、ネットワークファクシミリ装置ＦＸは、スキャナ５により原稿画像を読み取って画像データを作成し（処理３０４）、その画像データについて、マークＭＫが記録されている部分の画像データを抽出し、その抽出した画像データについて所定のＯＣＲ処理を実行して、文書番号の値を取得する（処理３０５）。
【００９３】
次いで、電子メールのヘッダ情報を作成するとともに、本文情報を作成する（処理３０６）。ここで、ヘッダ情報のうち、「Ｔｏ：」フィールドの値には、処理３０５で認識された文書番号の値に記号「＊」を付加したものが配置され、「Ｆｒｏｍ：」フィールドの値には、自端末のメールアドレスが配置される。また、本文情報としては、ダミーデータが用いられる。
【００９４】
次いで、ネットワークファクシミリ装置ＦＸは、ファクシミリ同報装置ＤＸへコネクション接続を要求し（処理３０７）、ＳＭＴＰポートについて、ＴＣＰコネクションが確立すると（処理３０８）、ファクシミリ同報装置ＤＸへ電子メールを送信し（処理３０９）、電子メールの送信が終了すると、ファクシミリ同報装置ＤＸとの間のＴＣＰコネクションを切断する（処理３１０）。
【００９５】
このようにして、本実施例では、再送要求時には、ユーザは、記録出力された同報結果レポートをスキャナ５にセットして、再送指示キーを操作するだけで良いので、ユーザの操作を非常に簡単なものにすることができる。
【００９６】
なお、上述した実施例ではネットワークファクシミリ装置ＦＸとファクシミリ同報装置ＤＸが直接ＳＭＴＰ送受信し、電子メールの配送経路に他のメールサーバが介在しないため、不達再送指示時に指定するメールアドレスとして”識別子＋ファイル管理番号”を用いるようにしているが、途中にメールサーバが介在する同報システムの場合はネットワークファクシミリ装置ＦＸはメールサーバとコネクションし電子メールを送信するためメールアドレスにファクシミリ同報装置ＤＸへ配送するための制御部分が必要となる。
【００９７】
したがって、例えば、コマンド「ＲＣＰＴ　ＴＯ：　＜＊０００３４５＠ｄｏｈｏ．ａｂｃ．ｃｏ．ｊｐ＞」のように、「＠」以降のデータを付加して送信することによりメールサーバが介在する同報システムの場合も再送指示が可能となる。
【００９８】
また、同様に、ネットワークファクシミリ装置ＦＸとファクシミリ同報装置ＤＸとの間に他のメールサーバが介在するような構成の場合、ネットワークファクシミリ装置ＦＸからファクシミリ同報装置ＤＸへ同報指示する場合の宛先情報の内容としては、「ローカルパート＠ドメイン」という形式のものを用いることができる。ここでは、「ローカルパート」の内容は、同報宛先のグループ３ファクシミリ装置のファクシミリ番号の値をセットできる。あるいは、ローカルパートは、ＲＦＣ２３０３／ＲＦＣ２３０４で規定されているアドレスフォーマットのものを用いることができる。また、「ドメイン」の値は、ファクシミリ同報装置ＤＸが認識できればよいので、任意の値を用いることができる。
【００９９】
【発明の効果】
以上説明したように、本発明によれば、ユーザは、テンキーを操作するという簡単な操作で同報通信の再送動作を同報装置へ指示することができるので、非常に便利であるという効果を得る。
【０１００】
また、再送要求時には、ユーザは、記録出力された同報結果レポートをスキャナ５にセットして、再送指示キーを操作するだけで良いので、ユーザの操作を非常に簡単なものにすることができるという効果も得る。
【図面の簡単な説明】
【図１】本発明の一実施例にかかるファクシミリ同報システムの一例を示したブロック図。
【図２】ネットワークファクシミリ装置ＦＸの構成の一例を示したブロック図。
【図３】ファクシミリ同報装置ＤＸの構成の一例を示したブロック図。
【図４】ネットワークファクシミリ装置ＦＸが、ファクシミリ同報装置ＤＸを用いて、複数のグループ３ファクシミリ装置ＧＸへ画情報を送信するときの動作の一例を示したタイムチャート。
【図５】同報結果レポートの一例を示した概略図。
【図６】ネットワークファクシミリ装置ＦＸが、ファクシミリ同報装置ＤＸに対して再送要求を指示する場合の動作の一例を示したタイムチャート。
【図７】ネットワークファクシミリ装置ＦＸがファクシミリ同報装置ＤＸに対して、同報通信を要求する場合の処理の一例を示したフローチャート。
【図８】ファクシミリ同報装置ＤＸの処理の一例を示したフローチャート。
【図９】ファクシミリ同報装置ＤＸの処理の一例を示したフローチャート（続き）。
【図１０】本発明の他の実施例にかかる同報結果レポートを示した概略図。
【図１１】再送要求時のネットワークファクシミリ装置ＦＸの処理の他の例を示したフローチャート。
【符号の説明】
ＦＸ　ネットワークファクシミリ装置
ＤＸ　ファクシミリ同報装置
ＧＸ１，ＧＸ２，…，ＧＸｍ　グループ３ファクシミリ装置
【図１】
2004088356.tif 000003
【図２】
2004088356.tif 000004
【図３】
2004088356.tif 000005
【図４】
2004088356.tif 000006
【図５】
2004088356.tif 000007
【図６】
2004088356.tif 000008
【図７】
2004088356.tif 000009
【図８】
2004088356.tif 000010
【図９】
2004088356.tif 000011
【図１０】
2004088356.tif 000012
【図１１】
2004088356.tif 000013